(57)【要約】【課題】多層式光ディスクに複数のレイヤを跨いで記録した後の処理時間を短縮、又は単層と同等にすることのできる光ディスク記録装置及び光ディスク記録方法を提供する。【解決手段】入力された映像音声信号記録中にレイヤ切り替えが必要か否かを判断するレイヤ切り替え判断部１０６とレイヤ切り替え前の記録に対する再生制御情報を作成する再生制御情報作成部１０５とドライブ部１１１がアイドリング状態になったかを判断するドライブアイドリング判断部１１０とを備え、ドライブ部１１１がアイドリング状態と判断された場合に、前記作成した再生制御情報を記録することにより、記録中に再生制御情報を記録することができ、記録後の処理時間を短縮することができる。【選択図】図１
2008287752.tif 000002
【特許請求の範囲】
【請求項１】
入力された映像音声信号と、前記映像音声信号を再生するための再生制御情報を多層式光ディスクに記録する光ディスク記録装置であって、
第一のレイヤに記録中に第二のレイヤに切り替えが必要か否かを判断するレイヤ切り替え判断部と、
前記レイヤ切り替え判断部によりレイヤ切り替えが発生した場合に、前記第一のレイヤに記録された映像音声信号に対する再生制御情報を作成する再生制御情報作成部と、
前記、レイヤ切り替え判断部によりレイヤ切り替えが行われた後に、ドライブがアイドリング状態に移行したか否かを判断するドライブアイドリング判断部と、
前記ドライブアイドリング判断部によりアイドリング状態と判断された場合に、前記再生制御情報を前記第一のレイヤに記録する再生制御情報記録部とを備えた
ことを特徴とする光ディスク記録装置。
【請求項２】
入力された映像音声信号と、前記映像音声信号を再生するための再生制御情報を多層式光ディスクに記録し、レイヤ切り替え時にタイトルを分割記録する光ディスク記録方法であって、
第一のレイヤに記録中に第二のレイヤに切り替えが必要か否かを判断するステップと、
レイヤ切り替えが必要だと判断した場合は、前記第一のレイヤに記録された映像音声信号の再生制御情報を作成するステップと、
レイヤを切り替えるステップと、
レイヤ切り替え後にドライブがアイドリング状態に移行したか否かを判断するステップと、
アイドリング状態と判断された場合に、前記再生制御情報を前記第一のレイヤに記録する再生制御情報記録ステップとを備えたことを特徴とする
光ディスク記録方法。
【請求項３】
入力された映像音声信号と、前記映像音声信号を再生するための再生制御情報を多層式光ディスクに記録する光ディスク記録装置であって、
第一のレイヤに記録中に第二のレイヤに切り替えが必要か否かを判断するレイヤ切り替え判断部と、
前記レイヤ切り替え判断部によりレイヤ切り替えが発生した場合に、前記第一のレイヤに記録された映像音声信号に対する再生制御情報を作成する再生制御情報作成部と、
前記第一のレイヤの記録中に前記第二のレイヤにある未記録部分を検出する未記録部分検出部と、
前記未記録部分検出部により未記録部分を検出した場合に、前記再生制御情報を前記第一のレイヤに記録する再生制御情報記録部とを備えたことを特徴とする
光ディスク記録装置。
【請求項４】
入力された映像音声信号と、前記映像音声信号を再生するための再生制御情報を多層式光ディスクに記録し、レイヤ切り替え時にタイトルを分割記録する光ディスク記録方法であって、
第一のレイヤに記録中に第二のレイヤにレイヤ切り替えが必要か否かを判断するステップと、
レイヤ切り替えが必要だと判断した場合は、前記第一のレイヤに記録された映像音声信号の再生制御情報を作成するステップと、
レイヤを切り替えるステップと、
第二のレイヤの記録中に第一のレイヤの未記録部分に到達したか否かを判断するステップと、
前記録レイヤの未記録部分に到達したと判断した場合に、前記再生制御情報を前記第一のレイヤに記録するステップとを備えたことを特徴とする
光ディスク記録方法。
【発明の詳細な説明】
【技術分野】
【０００１】
本発明は、ディスク記録装置及びディスク記録方法に係り、特にＤＶＤ  ＤＬ（Ｄｉｇｉｔａｌ  Ｖｅｒｓａｔｉｌｅ  Ｄｉｓｃ  Ｄｕａｌ  Ｌａｙｅｒ）等のように２つ以上のデータ記録層（レイヤ）を有する多層化ディスクに、映像音声信号をレイヤを跨いで記録する光ディスク記録装置及び光ディスク記録方法に関する。
【背景技術】
【０００２】
デジタル情報化社会の到来により、映像や音声等のデータもデジタルデータとして扱うのが一般的になってきた。これに伴って、データ記録に用いられる記録媒体は、従来主流であったテープからランダムアクセスが可能なディスクへと変わってきている。特に、保存性や可搬性に優れた光ディスクは、テープに替わるデジタルデータ記録媒体として重要な位置を占めるものである。
【０００３】
更に、光ディスクの中では、高画質映像の記録や、長時間映像の記録といった大容量データの記録が可能なＤＶＤが使われ始め、近年では、映像・音声データの記録再生に関するＤＶＤ規格であるＤＶＤビデオ規格が規格化されたことにもより、この規格に対応したＤＶＤ記録装置やＤＶＤ再生装置等が広く普及している。
【０００４】
このＤＶＤについては記録可能容量を更に大きくするために、ディスクの片面のデータ層を２層化した２層式ＤＶＤも規格化されており、これにより、従来の単層式ＤＶＤに比べて約２倍の記録容量を得ることができるようになった。
【０００５】
ここで、ＤＶＤビデオ規格に基づくＤＶＤ上の映像・音声データ町域の論理データ構造の例を図７に示してその構成を説明する。ＤＶＤビデオ規格に基づく映像・音声データ領域には、映像・音声データの再生に必要な全てのデータが格納されており、その論理データ構造は階層構造となっている。
【０００６】
まず第１層はＶＭＧ（Ｖｉｄｅｏ  Ｍａｎａｇｅｒ）７１とタイトル数分のＶＴＳ（Ｖｉｄｅｏ  Ｔｉｔｌｅ  Ｓｅｔ）７２とから構成される。ＶＭＧ７１は映像・音声データ領域全体についての管理情報が格納されるパケットであり、更にいくつかのデータ構造に分割されるがここでは説明を省略する。
【０００７】
ＶＴＳ７２は、ＶＴＳＩ（Ｖｉｄｅｏ  Ｔｉｔｌｅ  Ｓｅｔ  Ｉｎｆｏｒｍａｔｉｏｎ）７３とＶＯＢＳ（Ｖｉｄｅｏ  Ｏｂｊｅｃｔ  Ｓｅｔ）７４とＶＴＳＩ（ＢＵＰ）７５とから構成される。ＶＴＳＩ７３には、対応するＶＴＳ７２に関する管理情報が格納され、ＶＴＳＩ（ＢＵＰ）７５にはＶＴＳI７３のバックアップデータが格納される。そして、ＶＯＢＳ７４には映像・音声データやメニューコンテンツが格納されるが、このメニューコンテンツの格納は必須ではなく、同図においては映像・音声データのみを格納したＶＯＢ（Ｖｉｄｅｏ  Ｏｂｊｅｃｔ）７６−１〜７６−ｉを構成している。
【０００８】
そして、ＶＯＢ７６は、再生時に使用されるサーチ情報等が格納されたＮａｖｉｇａｔｉｏｎ７７と符号化された映像データが格納されたＶｉｄｅｏ７８と符号化された音声データが格納されたＡｕｄｉｏ７９とから構成された集合体が１つのＶＯＢＵ（Ｖｉｄｅｏ  Ｏｂｊｅｃｔ  Ｕｎｉｔ）として複数構成されている。
【０００９】
なお、これらＤＶＤビデオ規格に基づく論理データ構造の詳細説明は、例えば後述する特許文献１にも記載されているが、上記説明におけるＮａｖｉｇａｔｉｏｎ７７に格納されるサーチ情報等とは、該当するＶＯＢＵのサーチ情報（ＶＯＢＵ＿ＳＲＩ）と該当するＶＯＢ７６の最終時間情報（ＳＭＬ＿ＰＢＩ内のＶＯＢ＿Ｖ＿Ｅ＿ＰＴＭ）とを指すものである。
【００１０】
上述したような論理データ構造を有するＤＶＤに映像・音声データを記録する際の記録順序は概略次の通りである。ＶＭＧ７１の記録領域が確保された後、１つ目のＶＴＳ７２についてＶＴＳＩ７３の記録領域が確保された後にＶＯＢＳ７４が先に記録され、このＶＯＢＳ７４の記録が完了した後に、先に領域確保されたＶＴＳＩ７３への記録とＶＴＳＩ（ＢＵＰ）７５の追加記録とが行われるという順序になる。２つ目以降のＶＴＳ７２についても同様であり、記録すべき全てのＶＴＳ７２が記録された後に、映像・音声データ領域全体の管理情報がＶＭＧ７１に記録されるという順序になっている。
【００１１】
さらに、ＶＯＢＳ７６については、ＶＯＢ＃１＠ＶＯＢＳ＃２  ７６−１を例に説明すると、このＶＯＢを構成する全てのＶｉｄｅｏ７８とＡｕｄｉｏ７９とに格納される映像・音声データが先に準備された後、この準備された映像・音声データに対応するサーチ情報等を含むＮａｖｉｇａｔｉｏｎ７７が生成され、ＶＯＢのデータ構造に構成されたものがＤＶＤのＶＯＢ＃１＠ＶＯＢＳ＃２  ７６−１に記録されるという順序になる。
【００１２】
前述の記録方法に関しては特許文献１に開示された発明のように、ＤＶＤの記録領域の先頭部分に所定容量分の記録領域をあらかじめ確保しておき、次にこの記録領域に続けて映像・音声データ等のリアルタイム情報を記録した後、あらかじめ確保しておいた記録領域にリアルタイム情報に関連する制御情報を記録するように構成した「リアルタイム情報を記録するためのＤＶＤ記録装置」が知られている。
【００１３】
特許文献１に開示された発明は具体的な例を示してその記録手順を説明すると、１つのＶＴＳのみが記録される場合、まずＤＶＤの記録先先頭領域部分にＶＭＧの記録領域とＶＴＳＩ＃１の記録領域とをそれぞれ確保した後、これらの記録領域に続けてＶＯＢＳ＃１を記録し、次にＶＴＳＩ＃１の記録領域にＶＴＳＩ＃１を記録すると共にＶＯＢＳ＃１の後にＶＴＳＩ（ＢＵＰ）＃１を追記録する。そして最後にＶＭＧを先に確保しておいたＶＭＧの記録領域に記録するという手段によるものである。
【００１４】
また、ＶＯＢＳを２層式ＤＶＤにレイヤを跨いで記録させる場合、ＤＶＤビデオ規格によればＶＯＢＳを構成するＶＯＢ自身がレイヤを跨いではならないと規定されている。これは、ＤＶＤ再生装置がレイヤを跨いで記録されたＶＯＢを再生させる場合、このＶＯＢの読み出し時のレイヤ間の遷移処理において、ディスクからの読み出し処理が間に合わず、バッファーアンダーフローを引き起こす等の不具合を防ぐためである。
【００１５】
さらに、ＤＶＤビデオ規格によればＶＴＳ内のＶＯＢは物理的に連続していなければならないと規定されている。このことを満たすためにはレイヤを跨いで記録する場合にはＶＯＢＳを構成するＶＯＢのいずれもがレイヤを跨がないようにあらかじめ記録位置を調節して記録することが必要になるが、外部から入来する映像音声信号を２層式ＤＶＤに直接記録する場合では実質不可能である。
【００１６】
よって、ＤＶＤビデオ規格による前記２つの規定を満足するために、２層式ＤＶＤにレイヤを跨いで記録する場合は片方のレイヤにコンテンツデータ（ＶＴＳ）を収まるように、言い換えればレイヤ切り替えでＶＴＳを分割するようにして記録する方法をとることが通常である。
【００１７】
上述したようなＶＴＳを２個作成する場合でも、例えば前述特許文献１の手段を用いて、レイヤを切り替える際にレイヤ０のＶＴＳＩ（ＢＵＰ）とレイヤ１のＶＴＳＩ領域を確保し、レイヤ１のＶＯＢＳ記録後にレイヤ０のＶＴＳＩ、ＶＴＳＩ（ＢＵＰ）、レイヤ１のＶＴＳＩ、ＶＴＳＩ（ＢＵＰ）という順序で記録することができる。
【００１８】
このようにして、２層式ＤＶＤにコンテンツデータが記録された場合の論理データ構造の例を図８に示す。
【特許文献１】特表２００２−５３０８００号公報
【発明の開示】
【発明が解決しようとする課題】
【００１９】
しかしながら、上述の記録方法を用いて２層式ＤＶＤにレイヤを跨いで記録する場合、記録後にＶＴＳを２個作成する必要があるため、単層式ＤＶＤに記録した場合に比べ記録後の処理時間が約２倍かかるという問題がある。このことに関しての解決方法は特許文献１には開示又は示唆されていない。
【００２０】
そこで、本発明は上述したような問題に鑑みてなされたものであり、２層式ＤＶＤ等の多層式光ディスクにレイヤを跨いで記録した場合の処理時間を短縮、又は単層光ディスクと同等となる光ディスク記録装置、及びディスク記録方法を提供することを目的とする。
【課題を解決するための手段】
【００２１】
前記従来の課題を解決するために、本発明の光ディスク記録装置は、入力された映像音声信号と、前記映像音声信号を再生するための再生制御情報を多層式光ディスクに記録する光ディスク記録装置であって、第一のレイヤに記録中に第二のレイヤに切り替えが必要か否かを判断するレイヤ切り替え判断部と、前記レイヤ切り替え判断部によりレイヤ切り替えが発生した場合に、前記第一のレイヤに記録された映像音声信号に対する再生制御情報を作成する再生制御情報作成部と、前記、レイヤ切り替え判断部によりレイヤ切り替えが行われた後に、ドライブがアイドリング状態に移行したか否かを判断するドライブアイドリング判断部と、前記ドライブアイドリング判断部によりアイドリング状態と判断された場合に、前記再生制御情報を前記第一のレイヤに記録する再生制御情報記録部とを備えたことを特徴としたものである。
【００２２】
また、本発明の光ディスク記録方法は、入力された映像音声信号と、前記映像音声信号を再生するための再生制御情報を多層式光ディスクに記録し、レイヤ切り替え時にタイトルを分割記録する光ディスク記録方法であって、第一のレイヤに記録中に第二のレイヤに切り替えが必要か否かを判断するステップと、レイヤ切り替えが必要だと判断した場合は、前記第一のレイヤに記録された映像音声信号の再生制御情報を作成するステップと、レイヤを切り替えるステップと、レイヤ切り替え後にドライブがアイドリング状態に移行したか否かを判断するステップと、アイドリング状態と判断された場合に、前記再生制御情報を前記第一のレイヤに記録する再生制御情報記録ステップとを備えたことを特徴としたものである。
【００２３】
また、本発明の光ディスク記録装置は、入力された映像音声信号と、前記映像音声信号を再生するための再生制御情報を多層式光ディスクに記録する光ディスク記録装置であって、第一のレイヤに記録中に第二のレイヤに切り替えが必要か否かを判断するレイヤ切り替え判断部と、前記レイヤ切り替え判断部によりレイヤ切り替えが発生した場合に、前記第一のレイヤに記録された映像音声信号に対する再生制御情報を作成する再生制御情報作成部と、前記第一のレイヤの記録中に前記第二のレイヤにある未記録部分を検出する未記録部分検出部と、前記未記録部分検出部により未記録部分を検出した場合に、前記再生制御情報を前記第一のレイヤに記録する再生制御情報記録部とを備えたことを特徴としたものである。
【００２４】
また、本発明の光ディスク記録方法は、入力された映像音声信号と、前記映像音声信号を再生するための再生制御情報を多層式光ディスクに記録し、レイヤ切り替え時にタイトルを分割記録する光ディスク記録方法であって、第一のレイヤに記録中に第二のレイヤにレイヤ切り替えが必要か否かを判断するステップと、レイヤ切り替えが必要だと判断した場合は、前記第一のレイヤに記録された映像音声信号の再生制御情報を作成するステップと、レイヤを切り替えるステップと、第二のレイヤの記録中に第一のレイヤの未記録部分に到達したか否かを判断するステップと、前記録レイヤの未記録部分に到達したと判断した場合に、前記再生制御情報を前記第一のレイヤに記録するステップとを備えたことを特徴としたものである。
【発明の効果】
【００２５】
以上のように、本発明に係る光ディスク記録装置及びディスク記録方法によれば、多層式光ディスクにレイヤを跨いで記録した場合において、従来の記録方法では不可能であった記録後の処理時間の短縮、または単層式光ディスクと同等にすることが可能となる。
【発明を実施するための最良の形態】
【００２６】
以下に、本発明の光ディスク記録装置の実施の形態を図面とともに詳細に説明する。
【００２７】
（実施の形態１）
図１は、実施の形態１において適用されるＤＶＤの少なくとも片面に２つのデータ記録層を形成した２層式ＤＶＤ（以下、２層式ＤＶＤと記す。）に、外部から入力された映像・音声信号を、記録する光ディスク記録装置の概略の機能ブロックを示した図である。
【００２８】
同図において、光ディスク記録装置は、映像音声信号記録部１０１、エンコーダ部１０２、ビデオオブジェクト生成部１０３、ビデオオブジェクト記録部１０４、再生制御情報作成部１０５、再生制御情報記録部１０６、記録一巻リブ１０７、レイヤ切り替え判断部１０８、レイヤ切り替え部１０９、ドライブアイドリング判断部１１０、ドライブ部１１１を備えている、また、ドライブ部１１１には２層式ＤＶＤ１１２が搭載される。
【００２９】
このディスク光記録装置において、映像音声信号記録部１０１に入力される信号は映像信号及び音声信号又はいずれか一方であり、エンコーダ部１０２に供給される。
【００３０】
エンコーダ部１０２は、供給された映像音声信号データを符号化処理してストリームを出力する機能を有する。例えば、エンコーダ部１０２は映像音声信号記録部１０１からデジタル色差データをＭＰＥＧ２方式によって符号化し、そしてデジタル音声データをＤｏｌｂｙ（登録商標）ＡＣ−３方式で符号化し、これら符号化データをプログラムストリームにエンコードして出力する。
【００３１】
ビデオオブジェクト生成部１０３は、エンコーダ部１０２から供給されたプログラムストリームについて、ＶＯＢを順次作成してビデオオブジェクト記録部１０４に出力する機能と、順次生成するＶＯＢが少なくともある一定の書込み単位の容量、例えば１０Ｍｂｙｔｅというような任意の値になるまで一時記憶する機能とを有する。
【００３２】
ビデオオブジェクト記録部１０４は、ビデオオブジェクト生成部１０３より供給されたＶＯＢをドライブ部１１１に搭載された２層式ＤＶＤ１１２に記録するための機能を有する。
【００３３】
再生制御情報作成部１０５は、ビデオオブジェクト生成部１０３より生成されたＶＯＢの集合体であるＶＯＢＳから時間情報とアドレス情報と不連続点情報を読み取ってＶＴＳＩとＶＴＳＩ（ＢＵＰ）とを作成し、一時記憶する機能を有する。
【００３４】
再生制御情報記録部１０６は、再生制御情報作成部１０５から供給されたＶＴＳＩとＶＴＳＩ（ＢＵＰ）とを２層式ＤＶＤ１１２の所定の場所に記録する機能を有する。
【００３５】
記録位置管理部１０７は、ドライブ部１１１から供給される２層式ＤＶＤ１１２のどの場所を記録しているかという情報を管理する機能を有する。
【００３６】
レイヤ切り替え判断部１０８は、記録位置管理部１０７より供給される記録位置情報に基づき、例えば１層目の容量が無くなった等のレイヤ切り替えの必要があるかを判断する機能を有する。
【００３７】
レイヤ切り替え部１０９は、記録しているレイヤから別のレイヤへ切り替えるレイヤ切り替え機能を有する。
【００３８】
ドライブアイドリング判断部１１０はレイヤ切り替え直後からドライブ部１１１がアイドリング状態になったかを判断する機能を有する。
【００３９】
ドライブ部１１１は２層式ＤＶＤ１１２にデータを記録可能な光ディスク記録ドライブ装置である。ドライブ部１１１の２層式ＤＶＤ１１２のレイヤ０とレイヤ１とのレイヤを跨いだ記録動作は、内周から外周へ記録し、レイヤを切り替えて外周から内周へ記録するオポジットトラックパス方式によるものである。
【００４０】
上記説明したディスク記録装置の各機能は、ＤＶＤビデオ規格に準拠したＤＶＤ記録装置やＤＶＤ記録再生装置、又はＤＶＤドライブユニットを接続して制御可能なカムコーダーに搭載されたＣＰＵ等の処理手段やメモリ等の記憶手段を用いることによって実現することが可能である。
【００４１】
次にディスク記録装置の動作について図４に示したフローチャートを参照しながら説明する。同図のフローチャートは、複数のＶＯＢからなるコンテンツデータをレイヤ０とレイヤ１を有する２層式ＤＶＤ１１２にレイヤを跨いで記録する処理の流れについて示したものである。なお、実施の形態１においては入力となる映像音声信号はアナログコンポジット信号及びアナログステレオ信号である。
【００４２】
レイヤ０及びレイヤ１に記録可能領域を有した２層式ＤＶＤ１１２をドライブ部１１１に搭載してディスク記録装置を記録可能な状態にさせると、まず初期化処理として、ＶＭＧ及びＶＴＳＩの記録領域が確保されて、この確保された記録領域の後に最初のＶＯＢ＃１の記録開始点が設定されて記録待ちとなる（ステップＳ４０１）。
【００４３】
次に、エンコーダ部１０２は映像音声信号記録部１０１から供給された映像音声信号を映像信号についてはＭＰＥＧ２方式によって符号化し、そして音声信号についてはＬｉｎｅａｒ  ＰＣＭ方式、Ｄｏｌｂｙ  ＡＣ−３方式、ＭＰＥＧ  Ａｕｄｉｏ方式等で符号化し、これら符号化されたデータをプログラムストリーム形式にして出力する（ステップＳ４０２）。
【００４４】
次にビデオオブジェクト生成部１０３は、プログラムストリームの供給を受けるとＶＯＢを生成して記憶する（ステップＳ４０３）。
【００４５】
次に、レイヤ切り替え判断部１０８は記録位置管理部１０７より供給される記録位置情報を用いて記録しているレイヤに記録できるか否かを判断する（ステップＳ４０４）。
【００４６】
次に、レイヤ切り替えが不要と判断され、ビデオオブジェクト生成部１０３により作成されたＢＯＶが一定の単位、例えば１０Ｍｂｙｔｅという単位としてまとまったときはビデオオブジェクト記録部１０４によって２層式ＤＶＤ１１２に記録され、記録開始点が更新される（ステップＳ４０５）。
【００４７】
すなわち、ドライブ部１１１の記録は常に２層式ＤＶＤ１１２に行われているわけではなく、ＶＯＢが一定の単位にまとまるまでは休止状態（以下、アイドリング状態）になっている。
【００４８】
一方で、レイヤ切り替えが必要だと判断された場合はレイヤ０のＶＯＢに対するＶＴＳＩとＶＴＳＩ（ＢＵＰ）を再生制御情報作成部１０５により作成し、記憶する（ステップ４０６）。
【００４９】
次に、レイヤ切り替え部１０９により、レイヤ０の最後にＶＴＳＩ（ＢＵＰ）とレイヤ１の先頭にＶＴＳＩの記録領域を確保して、この確保された記録領域の後に記録開始点を移動させる（ステップＳ４０７）。
【００５０】
レイヤ切り替えが終了すると、ビデオオブジェクト生成部１０３により作成されたＶＯＢが一定の単位にまとまった時点でレイヤ１に記録する（ステップＳ４０８）。
【００５１】
次に、ドライブアイドリング判断部１１０は、レイヤ切り替え後の始めのＶＯＢが記録し終わり、ドライブ部１１１がアイドリング状態になっているか否かを判断する（ステップＳ４０９）。
【００５２】
次に、ドライブ部１１１がアイドリング状態になったと判断された場合には、レイヤ切り替え部１０９により記録位置をレイヤ０の最後に変更し、ステップＳ４０６で作成されたＶＴＳＩ（ＢＵＰ）を２層式ＤＶＤ１１２に記録し、記録が終わるとレイヤ１の記録されたＶＯＢの後に記録位置を更新する。ステップＳ４１０）。
【００５３】
ここでは、多くの場合はレイヤ切り替え処理中にＶＯＢが一定単位まで記録されているため、では切り替え後すぐに２層式ＤＶＤ１１２にＶＯＢが記録されるとして説明したが、レイヤ切り替え後にＶＯＢを書き込まずにドライブ部１１１がアイドリング状態になる場合もある。
【００５４】
ステップＳ４１１により、入力信号が終了していない、すなわち記録が継続されている場合は、前述のステップＳ４０２、Ｓ４０３、Ｓ４０５を繰り返して記録を継続する。
【００５５】
入力信号が終了した、すなわち記録が終了した場合は、前述のステップＳ４０６で作成したレイヤ０の記録に対するＶＴＳＩをステップＳ４０１であらかじめ予約された領域に記録する（ステップＳ４１２）。
【００５６】
次に再生制御情報作成部１０５はレイヤ１の記録に対するＶＴＳＩ及び、ＶＴＳＩ（ＢＵＰ）を作成し、記憶する（ステップＳ４１３）。
【００５７】
そして、再生制御情報記録部１０６は、再生制御情報作成部１０５で作成されたＶＴＳＩをステップＳ４０７で確保された記録領域に記録し、そして、ＶＴＳＩ（ＢＵＰ）を最後に記録されたＶＯＢに続けて記録する（ステップＳ４１４）。
【００５８】
以上のように、実施の形態１に係るディスク記録装置及びディスク記録方法によれば、入力された映像音声信号を、ドライブ部１１１に搭載された２層式ＤＶＤ１１２にビデオオブジェクト記録部１０４経由で順次記録する場合において、記録されるコンテンツデータがレイヤ０とレイヤ１との両方に跨ぐ場合は、レイヤ切り替え時にレイヤ０のＶＯＢＳに関してのＶＴＳＩとＶＴＳＩ（ＢＵＰ）を作成しておき、切り替え直後のドライブ部１１１のアイドリング状態においてレイヤ０のＶＴＳ（ＢＵＰ）を記録するようにした。これにより、記録中にレイヤ０のＶＴＳＩ（ＢＵＰ）が書込み済みになるのでレイヤ１記録後のＶＴＳＩ作成において、作成時間を短縮することが可能である。
【００５９】
（実施の形態２）
図２は、実施の形態２において適用される２層式ＤＶＤに、外部から入力された映像・音声信号を、記録する光ディスク記録装置の概略の機能ブロックを示した図である。
【００６０】
同図において、光ディスク記録装置は、映像音声信号記録部２０１、エンコーダ部２０２、ビデオオブジェクト生成部２０３、ビデオオブジェクト記録部２０４、再生制御情報作成部２０５、再生制御情報記録部２０６、記録位置管理部２０７、レイヤ切り替え判断部２０８、レイヤ切り替え部２０９、未記録部分検出部２１０、ドライブ部２１１を備えている、また、ドライブ部２１１には２層式ＤＶＤ２１２が搭載される。
【００６１】
このディスク光記録装置において、映像音声信号記録部２０１に入力される信号は映像信号及び音声信号又はいずれか一方であり、エンコーダ部２０２に供給される。
【００６２】
エンコーダ部２０２は、供給された映像音声信号データを符号化処理してストリームを出力する機能を有する。例えば、エンコーダ部２０２は映像音声信号記録部２０１からデジタル色差データをＭＰＥＧ２方式によって符号化し、そしてデジタル音声データをＤｏｌｂｙ（登録商標）ＡＣ−３方式で符号化し、これら符号化データをプログラムストリームにエンコードして出力する。
【００６３】
ビデオオブジェクト生成部２０３は、エンコーダ部２０２から供給されたプログラムストリームについて、ＶＯＢを順次作成してビデオオブジェクト記録部２０４に出力する機能と、順次生成するＶＯＢが少なくともある一定の書込み単位の容量、例えば１０Ｍｂｙｔｅというような任意の値になるまで一時記憶する機能とを有する。
【００６４】
ビデオオブジェクト記録部２０４は、ビデオオブジェクト生成部２０３より供給されたＶＯＢをドライブ部２１１に搭載された２層式ＤＶＤ２１２に記録するための機能を有する。
【００６５】
再生制御情報作成部２０５は、ビデオオブジェクト生成部２０３より生成されたＶＯＢの集合体であるＶＯＢＳから時間情報とアドレス情報と不連続点情報を読み取ってＶＴＳＩとＶＴＳＩ（ＢＵＰ）とを作成し、一時記憶する機能を有する。
【００６６】
再生制御情報記録部２０６は、再生制御情報作成部２０５から供給されたＶＴＳＩとＶＴＳＩ（ＢＵＰ）とを２層式ＤＶＤ２１２の所定の場所に記録する機能を有する。
【００６７】
記録位置管理部２０７は、ドライブ部２１１から供給される２層式ＤＶＤ２１２のどの場所を記録しているかという情報を管理する機能を有する。
【００６８】
レイヤ切り替え判断部２０８は、記録位置管理部２０７より供給される記録位置情報に基づき、例えば１層目の容量が無くなった等のレイヤ切り替えの必要があるかを判断する機能を有する。
【００６９】
レイヤ切り替え部２０９は、記録しているレイヤから別のレイヤへ切り替えるレイヤ切り替え機能を有する。
【００７０】
未記録部分検出部２１０は、レイヤを跨いでレイヤ１を記録中にレイヤ０のＶＴＳＩを記録するために確保される場所を記録位置管理部２０７より供給された記録位置情報から検出する機能を有する。
【００７１】
ドライブ部２１１は２層式ＤＶＤ２１２にデータを記録可能な光ディスク記録ドライブ装置である。ドライブ部２１１の２層式ＤＶＤ２１２のレイヤ０とレイヤ１とのレイヤを跨いだ記録動作は、内周から外周へ記録し、レイヤを切り替えて外周から内周へ記録するオポジットトラックパス方式によるものである。
【００７２】
上記説明したディスク記録装置の各機能は、ＤＶＤビデオ規格に準拠したＤＶＤ記録装置やＤＶＤ記録再生装置、又はＤＶＤドライブユニットを接続して制御可能なカムコーダーに搭載されたＣＰＵ等の処理手段やメモリ等の記憶手段を用いることによって実現することが可能である。
【００７３】
次にディスク記録装置の動作について図５に示したフローチャートを参照しながら説明する。同図のフローチャートは、複数のＶＯＢからなるコンテンツデータをレイヤ０とレイヤ１を有する２層式ＤＶＤ２１２にレイヤを跨いで記録する処理の流れについて示したものである。なお、実施の形態２においては入力となる映像音声信号はアナログコンポジット信号及びアナログステレオ信号である。
【００７４】
レイヤ０及びレイヤ１に記録可能領域を有した２層式ＤＶＤ２１２をドライブ部２１１に搭載してディスク記録装置を記録可能な状態にさせると、まず初期化処理として、ＶＭＧ及びＶＴＳＩの記録領域が確保されて、この確保された記録領域の後に最初のＶＯＢ＃１の記録開始点が設定されて記録待ちとなる（ステップＳ５０１）。
【００７５】
次に、エンコーダ部２０２は映像音声信号記録部２０１から供給された映像音声信号を映像信号についてはＭＰＥＧ２方式によって符号化し、そして音声信号についてはＬｉｎｅａｒ  ＰＣＭ方式、Ｄｏｌｂｙ  ＡＣ−３方式、ＭＰＥＧ  Ａｕｄｉｏ方式等で符号化し、これら符号化されたデータをプログラムストリーム形式にして出力する（ステップＳ５０２）。
【００７６】
次にビデオオブジェクト生成部２０３は、プログラムストリームの供給を受けるとＶＯＢを生成して記憶する（ステップＳ５０３）。
【００７７】
次に、レイヤ切り替え判断部２０８は記録位置管理部２０７より供給される記録位置情報を用いて記録しているレイヤに記録できるか否かを判断する（ステップＳ５０４）。
【００７８】
次に、レイヤ切り替えが不要と判断され、ビデオオブジェクト生成部２０３により作成されたＢＯＶが一定の単位、例えば１２Ｍｂｙｔｅという単位としてまとまったときはビデオオブジェクト記録部２０４によって２層式ＤＶＤ２１２に記録され、記録開始点が更新される（ステップＳ５０５）。
【００７９】
一方で、レイヤ切り替えが必要だと判断された場合はレイヤ０のＶＯＢに対するＶＴＳＩとＶＴＳＩ（ＢＵＰ）を再生制御情報作成部２０５により作成し、記憶する（ステップ５０６）。
【００８０】
次に、レイヤ切り替え部２０９により、レイヤ０の最後にＶＴＳＩ（ＢＵＰ）とレイヤ１の先頭にＶＴＳＩの記録領域を確保して、この確保された記録領域の後に記録開始点を移動させる（ステップＳ５０７）。
【００８１】
レイヤ切り替えを終了するとステップＳ５１０により、入力信号が終了していない、すなわち記録が継続されている場合は、前述のステップＳ５０２、Ｓ５０３、Ｓ５０５を繰り返して記録を継続する。
【００８２】
ここで、レイヤ切り替えを行いレイヤ１記録継続中に未記録部分検出部２１０は記録位置管理部２０７からの供給される記録位置情報からレイヤ０の未記録部分に到達したか否かを判断する（ステップＳ５０８）。
【００８３】
次に、ステップＳ５０８でレイヤ０の未記録部分に到達したと判断された場合、再生制御情報記録部２０６はレイヤ０のＶＴＳＩを記録する（ステップＳ５０９）。
【００８４】
次に、入力信号が終了した、すなわち記録が終了した場合は、前述のステップＳ５０６で作成したレイヤ０の記録に対するＶＴＳＩ（ＢＵＰ）をステップＳ５０１であらかじめ予約された領域に記録する（ステップＳ５１１）。
【００８５】
次に再生制御情報作成部１０５はレイヤ１の記録に対するＶＴＳＩ及び、ＶＴＳＩ（ＢＵＰ）を作成し、記憶する（ステップＳ５１２）。
【００８６】
そして、再生制御情報記録部１０６は、再生制御情報作成部１０５で作成されたＶＴＳＩをステップＳ５０７で確保された記録領域に記録し、そして、ＶＴＳＩ（ＢＵＰ）を最後に記録されたＶＯＢに続けて記録する（ステップＳ５１３）。
【００８７】
以上のように、実施の形態２にかかるディスク記録装置及びディスク記録方法によれば、入力された映像音声信号を、ドライブ部２１１搭載された２層式ＤＶＤ２１２にビデオオブジェクト記録部２０４経由で順次記録する場合において、記録されるコンテンツデータがレイヤ０とレイヤ１との両方に跨ぐ場合は、レイヤ切り替え時にレイヤ０のＶＯＢＳに関してのＶＴＳＩとＶＴＳＩ（ＢＵＰ）を作成しておき、レイヤ１の記録中にレイヤ０の未記録部分に到達した場合はレイヤ０のＶＴＳＩを記録するようにした。これにより、記録中にレイヤ０のＶＴＳＩが書込み済みになるのでレイヤ１記録後のＶＴＳＩ作成において、作成時間を短縮することが可能である。
【００８８】
（実施の形態３）
図３は、実施の形態３において適用される２層式ＤＶＤに、外部から入力された映像・音声信号を、記録する光ディスク記録装置の概略の機能ブロックを示した図である。
【００８９】
同図において、光ディスク記録装置は、映像音声信号記録部３０１、エンコーダ部３０２、ビデオオブジェクト生成部３０３、ビデオオブジェクト記録部３０４、再生制御情報作成部３０５、再生制御情報記録部３０６、記録位置管理部３０７、レイヤ切り替え判断部３０８、レイヤ切り替え部３０９、ドライブアイドリング判断部３１０、未記録部分検出部３１１、ドライブ部３１２を備えている、また、ドライブ部３１２には２層式ＤＶＤ３１３が搭載される。
【００９０】
このディスク光記録装置において、映像音声信号記録部３０１に入力される信号は映像信号及び音声信号又はいずれか一方であり、エンコーダ部３０２に供給される。
【００９１】
エンコーダ部３０２は、供給された映像音声信号データを符号化処理してストリームを出力する機能を有する。例えば、エンコーダ部３０２は映像音声信号記録部３０１からデジタル色差データをＭＰＥＧ２方式によって符号化し、そしてデジタル音声データをＤｏｌｂｙ（登録商標）ＡＣ−３方式で符号化し、これら符号化データをプログラムストリームにエンコードして出力する。
【００９２】
ビデオオブジェクト生成部３０３は、エンコーダ部３０２から供給されたプログラムストリームについて、ＶＯＢを順次作成してビデオオブジェクト記録部３０４に出力する機能と、順次生成するＶＯＢが少なくともある一定の書込み単位の容量、例えば１０Ｍｂｙｔｅというような任意の値になるまで一時記憶する機能とを有する。
【００９３】
ビデオオブジェクト記録部３０４は、ビデオオブジェクト生成部３０３より供給されたＶＯＢをドライブ部３１２に搭載された２層式ＤＶＤ３１３に記録するための機能を有する。
【００９４】
再生制御情報作成部３０５は、ビデオオブジェクト生成部３０３より生成されたＶＯＢの集合体であるＶＯＢＳから時間情報とアドレス情報と不連続点情報を読み取ってＶＴＳＩとＶＴＳＩ（ＢＵＰ）とを作成し、一時記憶する機能を有する。
【００９５】
再生制御情報記録部３０６は、再生制御情報作成部３０５から供給されたＶＴＳＩとＶＴＳＩ（ＢＵＰ）とを２層式ＤＶＤ３１３の所定の場所に記録する機能を有する。
【００９６】
記録位置管理部３０７は、ドライブ部３１２から供給される２層式ＤＶＤ３１３のどの場所を記録しているかという情報を管理する機能を有する。
【００９７】
レイヤ切り替え判断部３０８は、記録位置管理部３０７より供給される記録位置情報に基づき、例えば１層目の容量が無くなった等のレイヤ切り替えの必要があるかを判断する機能を有する。
【００９８】
レイヤ切り替え部３０９は、記録しているレイヤから別のレイヤへ切り替えるレイヤ切り替え機能を有する。
【００９９】
ドライブアイドリング判断部３１０はレイヤ切り替え直後からドライブ部３１２がアイドリング状態になったかを判断する機能を有する。
【０１００】
未記録部分検出部３１１は、レイヤを跨いでレイヤ１を記録中にレイヤ０のＶＴＳＩを記録するために確保される場所を記録位置管理部３０７より供給された記録位置情報から検出する機能を有する。
【０１０１】
ドライブ部３１２は２層式ＤＶＤ３１３にデータを記録可能な光ディスク記録ドライブ装置である。ドライブ部３１２の２層式ＤＶＤ３１３のレイヤ０とレイヤ１とのレイヤを跨いだ記録動作は、内周から外周へ記録し、レイヤを切り替えて外周から内周へ記録するオポジットトラックパス方式によるものである。
【０１０２】
上記説明したディスク記録装置の各機能は、ＤＶＤビデオ規格に準拠したＤＶＤ記録装置やＤＶＤ記録再生装置、又はＤＶＤドライブユニットを接続して制御可能なカムコーダーに搭載されたＣＰＵ等の処理手段やメモリ等の記憶手段を用いることによって実現することが可能である。
【０１０３】
次にディスク記録装置の動作について図６に示したフローチャートを参照しながら説明する。同図のフローチャートは、複数のＶＯＢからなるコンテンツデータをレイヤ０とレイヤ１を有する２層式ＤＶＤ１１２にレイヤを跨いで記録する処理の流れについて示したものである。なお、実施の形態３においては入力となる映像音声信号はアナログコンポジット信号及びアナログステレオ信号である。
【０１０４】
レイヤ０及びレイヤ１に記録可能領域を有した２層式ＤＶＤ３１３をドライブ部３１２に搭載してディスク記録装置を記録可能な状態にさせると、まず初期化処理として、ＶＭＧ及びＶＴＳＩの記録領域が確保されて、この確保された記録領域の後に最初のＶＯＢ＃１の記録開始点が設定されて記録待ちとなる（ステップＳ６０１）。
【０１０５】
次に、エンコーダ部３０２は映像音声信号記録部３０１から供給された映像音声信号を映像信号についてはＭＰＥＧ２方式によって符号化し、そして音声信号についてはＬｉｎｅａｒ  ＰＣＭ方式、Ｄｏｌｂｙ  ＡＣ−３方式、ＭＰＥＧ  Ａｕｄｉｏ方式等で符号化し、これら符号化されたデータをプログラムストリーム形式にして出力する（ステップＳ６０２）。
【０１０６】
次にビデオオブジェクト生成部３０３は、プログラムストリームの供給を受けるとＶＯＢを生成して記憶する（ステップＳ６０３）。
【０１０７】
次に、レイヤ切り替え判断部３０８は記録位置管理部３０７より供給される記録位置情報を用いて記録しているレイヤに記録できるか否かを判断する（ステップＳ６０４）。
【０１０８】
次に、レイヤ切り替えが不要と判断され、ビデオオブジェクト生成部３０３により作成されたＢＯＶが一定の単位、例えば１０Ｍｂｙｔｅという単位としてまとまったときはビデオオブジェクト記録部３０４によって２層式ＤＶＤ３１３に記録され、記録開始点が更新される（ステップＳ６０５）。
【０１０９】
すなわち、ドライブ部３１２の記録は常に２層式ＤＶＤ３１３に行われているわけではなく、ＶＯＢが一定の単位にまとまるまでは休止状態（以下、アイドリング状態）になっている。
【０１１０】
一方で、レイヤ切り替えが必要だと判断された場合はレイヤ０のＶＯＢに対するＶＴＳＩとＶＴＳＩ（ＢＵＰ）を再生制御情報作成部３０５により作成し、記憶する（ステップＳ６０６）。
【０１１１】
次に、レイヤ切り替え部３０９により、レイヤ０の最後にＶＴＳＩ（ＢＵＰ）とレイヤ１の先頭にＶＴＳＩの記録領域を確保して、この確保された記録領域の後に記録開始点を移動させる（ステップＳ６０７）。
【０１１２】
レイヤ切り替えが終了すると、ビデオオブジェクト生成部３０３により作成されたＶＯＢが一定の単位にまとまった時点でレイヤ１に記録する（ステップＳ６０８）。
【０１１３】
次に、ドライブアイドリング判断部３１０は、レイヤ切り替え後の始めのＶＯＢが記録し終わり、ドライブ部３１２がアイドリング状態になっているか否かを判断する（ステップＳ６０９）。
【０１１４】
次に、ドライブ部３１２がアイドリング状態になったと判断された場合には、レイヤ切り替え部３０９により記録位置をレイヤ０の最後に変更し、ステップＳ６０６で作成されたＶＴＳＩ（ＢＵＰ）を２層式ＤＶＤ３１３に記録し、記録が終わるとレイヤ１の記録されたＶＯＢの後に記録位置を更新する（ステップＳ６１０）。
【０１１５】
ここでは、多くの場合はレイヤ切り替え処理中にＶＯＢが一定単位まで記録されているため、切り替え後すぐに２層式ＤＶＤ３１３にＶＯＢが記録されるとして説明したが、レイヤ切り替え後にＶＯＢを書き込まずにドライブ部３１２がアイドリング状態になる場合もある。
【０１１６】
ステップＳ６１１により、入力信号が終了していない、すなわち記録が継続されている場合は、前述のステップＳ６０２、Ｓ６０３、Ｓ６０５を繰り返して記録を継続する。
【０１１７】
次に、レイヤ切り替え後のレイヤ１記録継続中に未記録部分検出部３１１は記録位置管理部３０７からの供給される記録位置情報からレイヤ０の未記録部分に到達したか否かを判断する（ステップＳ６１１）。
【０１１８】
次に、ステップＳ６１１でレイヤ０の未記録部分に到達したと判断された場合、再生制御情報記録部３０６はレイヤ０のＶＴＳＩを記録する（ステップＳ６１２）。
【０１１９】
次に、入力信号が終了した、すなわち記録が終了した場合は、再生制御情報作成部３０５はレイヤ１の記録に対するＶＴＳＩ及び、ＶＴＳＩ（ＢＵＰ）を作成し、記憶する（ステップＳ６１４）。
【０１２０】
そして、再生制御情報記録部３０６は、管理情報作成部３０５で作成されたＶＴＳＩをステップＳ６０７で確保された記録領域に記録し、そして、ＶＴＳＩ（ＢＵＰ）を最後に記録されたＶＯＢに続けて記録する（ステップＳ６１５）。
【０１２１】
以上のように、実施の形態３にかかるディスク記録装置及びディスク記録方法によれば、入力された映像音声信号を、ドライブ部３１２に搭載された２層式ＤＶＤ３１３にビデオオブジェクト記録部３０４経由で順次記録する場合において、記録されるコンテンツデータがレイヤ０とレイヤ１との両方にまたぐ場合は、例や切り替え時にレイヤ0のＶＯＢＳに関してのＶＴＳＩとＶＴＳＩ（ＢＵＰ）を作成しておき、レイヤ切り替え直後のドライブ部３１２のアイドリング状態においてレイヤ０のＶＴＳ（ＢＵＰ）を記録し、更に記録中にレイヤ０の未記録部分に到達した場合はレイヤ０のＶＴＳＩを記録するようにした。これにより、記録中にレイヤ０のＶＴＳＩ及びＶＴＳＩ（ＢＵＰ）が書込み済みになるのでレイヤ１記録後のＶＴＳＩ作成において、作成時間が単層ＤＶＤと同等にすることが可能である。
【０１２２】
以上、詳述したように、実施の形態１、実施の形態２及び実施の形態３によれば、２層式ＤＶＤに映像音声信号を直接記録させる場合において、従来方式では不可能だったレイヤを跨いで記録後の処理時間を単層ＤＶＤと同等にすることが可能である。
【０１２３】
なお、本実施の形態では、２層式ＤＶＤを例として各実施の形態を説明したが、本発明思想が適用可能な媒体は、２層式ＤＶＤに限らず更に多層のデータ記録層を有する多層式ＤＶＤをはじめ、その他のマルチレイヤディスクに広く適用できるものである。
【産業上の利用可能性】
【０１２４】
本発明に係る光ディスク記録装置及び記録方法は、映像音声信号をマルチレイヤディスクに記録させる用途において記録後の処理時間を単層ディスクと同等にする効果を有し、特にオポジットトラックパス方式によって、レイヤを跨いでコンテンツデータを記録する用途において有用である。
【図面の簡単な説明】
【０１２５】
【図１】本発明の実施の形態１における光ディスク記録装置の概略の機能ブロックを示した図
【図２】本発明の実施の形態２における光ディスク記録装置の概略の機能ブロックを示した図
【図３】本発明の実施の形態３における光ディスク記録装置の概略の機能ブロックを示した図
【図４】本発明の実施の形態１における光ディスク記録装置の処理を説明するためのフローチャート
【図５】本発明の実施の形態２における光ディスク記録装置の処理を説明するためのフローチャート
【図６】本発明の実施の形態３における光ディスク記録装置の処理を説明するためのフローチャート
【図７】ＤＶＤビデオ規格に基づくＤＶＤ上の映像音声データ領域の論理データの構造を示した図
【図８】従来方式によってコンテンツデータが２層式ＤＶＤに記録された場合の論理データ構造の例を示した図
【符号の説明】
【０１２６】
１０１  映像音声信号記録部
１０２  エンコーダ部
１０３  ビデオオブジェクト生成部
１０４  ビデオオブジェクト記録部
１０５  再生制御情報作成部
１０６  再生制御情報記録部
１０７  記録位置管理部
１０８  レイヤ切り替え判断部
１０９  レイヤ切り替え部
１１０  ドライブアイドリング判断部
１１１  ドライブ部
１１２  ２層式ＤＶＤ
２０１  映像音声信号記録部
２０２  エンコーダ部
２０３  ビデオオブジェクト生成部
２０４  ビデオオブジェクト記録部
２０５  再生制御情報作成部
２０６  再生制御情報記録部
２０７  記録位置管理部
２０８  レイヤ切り替え判断部
２０９  レイヤ切り替え部
２１０  未記録部分検出部
２１１  ドライブ部
２１２  ２層式ＤＶＤ
３０１  映像音声信号記録部
３０２  エンコーダ部
３０３  ビデオオブジェクト生成部
３０４  ビデオオブジェクト記録部
３０５  再生制御情報作成部
３０６  再生制御情報記録部
３０７  記録位置管理部
３０８  レイヤ切り替え判断部
３０９  レイヤ切り替え部
３１０  ドライブアイドリング判断部
３１１  未記録部分検出部
３１２  ドライブ部
３１３  ２層式ＤＶＤ
７１  ＶＭＧ（Ｖｉｄｅｏ  Ｍａｎａｇｅｒ）
７２−１  ＶＴＳ＃１（Ｖｉｄｅｏ  Ｔｉｔｌｅ  Ｓｅｔ  ＃１）
７２−２  ＶＴＳ＃２（Ｖｉｄｅｏ  Ｔｉｔｌｅ  Ｓｅｔ  ＃２）
７２−ｎ  ＶＴＳ＃ｎ（Ｖｉｄｅｏ  Ｔｉｔｌｅ  Ｓｅｔ  ＃ｎ）
７３  ＶＴＳＩ＃２（Ｖｉｄｅｏ  Ｔｉｔｌｅ  Ｓｅｔ  Ｉｎｆｏｒｍａｔｉｏｎ＃２）
７４  ＶＯＢＳ＃２（Ｖｉｄｅｏ  Ｏｂｊｅｃｔ  Ｓｅｔｓ＃２）
７５  ＶＴＳＩ＿ＢＵＰ＃２（ＶＴＳＩ  Ｂａｃｋｕｐ＃２）
７６−１  ＶＯＢ＃１＠ＶＯＢＳ＃２（Ｖｉｄｅｏ  Ｏｂｊｅｃｔ＃１）
７６−２  ＶＯＢ＃２＠ＶＯＢＳ＃２（Ｖｉｄｅｏ  Ｏｂｊｅｃｔ＃２）
７６−ｉ  ＶＯＢ＃ｉ＠ＶＯＢＳ＃２（Ｖｉｄｅｏ  Ｏｂｊｅｃｔ＃ｉ）
７７  Ｎａｖｉｇａｔｉｏｎ
７８  Ｖｉｄｅｏ
７９  Ａｕｄｉｏ
【図１】
2008287752.tif 000003
【図２】
2008287752.tif 000004
【図３】
2008287752.tif 000005
【図４】
2008287752.tif 000006
【図５】
2008287752.tif 000007
【図６】
2008287752.tif 000008
【図７】
2008287752.tif 000009
【図８】
2008287752.tif 000010